(57)【要約】      （修正有）【課題】失禁により前身頃が濡れることを防止する衣服の構造を提供する。【解決手段】前身頃の内側合せ目を、止め具を介して、緊締、又は緊締解除する構造の前開きの下着であって、内側合せ目の一番下の釦を基準として、釦の下から、前身頃の脇の内側に亘り切欠き部を形成する。【選択図】図１
0003154978.tif 000002
【実用新案登録請求の範囲】
【請求項１】
前身頃の内側合せ目を、止め具を介して、緊締、又は緊締解除する構造の前開きの下着であって、
前記内側合せ目の一番下の釦を基準として、この釦の下から、前記前身頃の脇の内側に亘り切欠き部を形成し、
この前身頃を失禁による濡れから防止する構成とした衣服の構造。
【請求項２】
請求項１に記載の衣服の構造であって、
前記内側合せ目の一番下の釦を、第四の釦とする構成とした衣服の構造。
【請求項３】
請求項１に記載の衣服の構造であって、
前記切欠き部は、左右対称構造とし、前身頃側より正面視した状態で、全体視して、略正三角形を呈する構成とした衣服の構造。
【請求項４】
請求項１に記載の衣服の構造であって、
前記衣服は、男女の区別なく使用できる構成とした衣服の構造。
【考案の詳細な説明】
【技術分野】
【０００１】
本考案は、介護者と、非介護者（障害者）の双方にとって、安心でき、操作が楽で、かつ介護の簡略化、利便性と、又は安心・安全が図れることと、心の安らぎ、例えば、いがみ合いと、喧嘩の解消が図れることに役立つと考えられる衣服の構造に関する。
【背景技術】
【０００２】
周知の如く、障害者、認識が劣る人、又は泥酔者等の介護が大変であることは、万人が認める処である。殊に、寝たきり老人で、かつオムツ着用者等の介護においては、下着の前身頃の下側が、失禁で濡れることが間々あり、本人を始めとして、介護者が難渋しているのが現況である。これらの状況が少しでも改善されれば、双方にとって大変有意義であり、介護の楽しみと、心の安らぎに役立つことが考えられる。
【０００３】
従って、この失禁に起因する衣服の濡れ防止に関する文献を、以下に説明する。
【０００４】
文献（１）は、登録実用新案第３１３６０４７号の「男性用シャツ」であり、この考案は、シャツの裾部に略逆Ｕ字形の幅広の開口部を形成したことで、着用時で、かつ小水時に、簡易に取出しできることを特徴とし、シャツの濡れ防止を図る構造である。しかし、この考案は、被りのシャツに関する構成でることから、単なる開口部でよいが、前開きシャツには採用できない構造である。即ち、前開きのシャツは、前身頃に余裕があることを特徴とすることから、着用時において、前側で重なることが多く、重なった状態では、この種の単なる開口部では、失禁時に対応できないと考えられる。
【０００５】
また、文献（２）は、特開２００３−１６６１０２の「男性用シャツ」であり、この発明は、前身頃の中央下端部にスリットを設けたことで、着用時で、かつ小水時に、簡易に取出しできることを特徴とし、シャツの濡れ防止を図る構造である。しかし、この発明は、被りのシャツに関する構成でることから、単なるスリットでよいが、前開きシャツには採用できない構造である。即ち、前開きのシャツは、前身頃に余裕があることを特徴とすることから、着用時において、前側で重なることが多く、重なった状態では、この種の単なるスリットでは、失禁時に対応できないと考えられる。
【０００６】
さらに、文献（３）は、特開２００３−１８３９０１の「男性用アンダーシャツ」であり、この発明は、前記文献（２）と略同じ構造であり、その課題も、略同様と考えられる。
【０００７】
【特許文献１】登録実用新案第３１３６０４７号
【特許文献２】特開２００３−１６６１０２
【特許文献３】特開２００３−１８３９０１
【考案の概要】
【考案が解決しようとする課題】
【０００８】
以上で説明した如く、文献（１）〜文献（３）の考案等の如く、シャツの前身頃の裾部に開口部、又はスリットを設けた構造では、前開きシャツには採用できないと考えられる。何故なら、この種の前開きのシャツは、前身頃に余裕があり、かつその着用時において、前側で重ねて着用する。従って、この重なった状態では、この種の単なる開口部、又はスリットでは、失禁時に対応できないと考えられる。換言すると、大きな開口であり、下着（前開きシャツ）の前身頃を、前側で重ねて着用しても、この開口が維持される構造の前開きシャツが要望されるが、昨今まで、実用化されていないのが現況である。
【０００９】
殊に、介護老人、疾病者等で、オムツを着用している人には、文献（１）〜文献（３）で示した被りのシャツや、このシャツに設けた開口部、又はスリットの構成では、到底、濡れを回避することは、困難視される処である。
【課題を解決するための手段】
【００１０】
請求項１の考案は、下着の前身頃を、前側で重ねて着用しても、この大きな開口（左右の切欠き部）が維持される構造として失禁時の濡れ防止を図ること、また、前開きシャツに最適な、左右対称の切欠き部を形成し、略正三角形の開口とすることで、オムツ着用の介護老人でも、失禁時のトラブルの解消を図ること、等を意図する。
【００１１】
請求項１は、前身頃の内側合せ目を、止め具を介して、緊締、又は緊締解除する構造の前開きの下着であって、
前記内側合せ目の一番下の釦を基準として、この釦の下から、前記前身頃の脇の内側に亘り切欠き部を形成し、
この前身頃を失禁による濡れから防止する構成とした衣服の構造である。
【００１２】
請求項２の考案は、請求項１の目的を達成すること、また、最適な切欠き部を形成するための一番下の釦を特定すること、等を意図する。
【００１３】
請求項２は、請求項１に記載の衣服の構造であって、
前記内側合せ目の一番下の釦を、第四の釦とする構成とした衣服の構造である。
【００１４】
請求項３の考案は、請求項１の目的を達成すること、また、最適な切欠き部の構造を提案すること、等を意図する。
【００１５】
請求項３は、請求項１に記載の衣服の構造であって、
前記切欠き部は、左右対称構造とし、前身頃側より正面視した状態で、全体視して、略正三角形を呈する構成とした衣服の構造である。
【００１６】
請求項４の考案は、請求項１の目的を達成すること、また、最適な切欠き部を備えた衣服の着用者を特定すること、等を意図する。
【００１７】
請求項４は、請求項１に記載の衣服の構造であって、
前記衣服は、男女の区別なく使用できる構成とした衣服の構造である。
【考案の効果】
【００１８】
請求項１の考案は、前身頃の内側合せ目を、止め具を介して、緊締、又は緊締解除する構造の前開きの下着であって、
内側合せ目の一番下の釦を基準として、釦の下から、前身頃の脇の内側に亘り切欠き部を形成し、
前身頃を失禁による濡れから防止する構成とした衣服の構造である。
【００１９】
従って、請求項１は、下着の前身頃を、前側で重ねて着用しても、この大きな開口（左右の切欠き部）が維持される構造として失禁時の濡れ防止が図れること、また、前開きシャツに最適な、左右対称の切欠き部を形成し、略正三角形の開口とすることで、オムツ着用の介護老人でも、失禁時のトラブルの解消が図れること、等の特徴がある。
【００２０】
請求項２の考案は、請求項１に記載の衣服の構造であって、
内側合せ目の一番下の釦を、第四の釦とする構成とした衣服の構造である。
【００２１】
従って、請求項２は、請求項１の目的を達成できること、また、最適な切欠き部を形成するための一番下の釦を特定できること、等の特徴を有する。
【００２２】
請求項３の考案は、請求項１に記載の衣服の構造であって、
切欠き部は、左右対称構造とし、前身頃側より正面視した状態で、全体視して、略正三角形を呈する構成とした衣服の構造である。
【００２３】
従って、請求項３は、請求項１の目的を達成できること、また、最適な切欠き部の構造を提案できること、等の特徴を有する。
【００２４】
請求項４の考案は、請求項１に記載の衣服の構造であって、
衣服は、男女の区別なく使用できる構成とした衣服の構造である。
【００２５】
従って、請求項４は、請求項１の目的を達成できること、また、最適な切欠き部を備えた衣服の着用者を特定できること、等の特徴を有する。
【図面の簡単な説明】
【００２６】
【図１】前開きシャツの正面図
【図２】図１の要部の拡大正面図
【図３】前開きシャツの斜視図
【図４】前開きシャツを正面視し、向って右側の前身頃を展開した状態の正面図
【図５−１】前開きシャツを着用した状態の正面図
【図５−２】図５−１の背面図
【図６】前開きシャツを着用した状態の斜視図
【図７】前開きシャツを着用し、横臥した状態の側面図
【考案を実施するための形態】
【００２７】
図中、１は前開きシャツ（前開き下着）であり、この前開きシャツ１は、左右の前身頃２、３の内側合せ目２００、３００を、釦５（止め具の一種で、他には、ホック、面ファスナ、ジッパー、紐等を含む）を介して、緊締、又は緊締解除する構造の前開きの構造である。そして、図中、６は釦５を挿入する釦ホールであり、この釦ホール６に釦５を挿入し、内側合せ目２００、３００を緊締し、また、この釦ホール６から釦５を挿外し、内側合せ目２００、３００を緊締解除する構造である。
【００２８】
この前開きシャツ１は、袖７と、襟刳り１００、並びに後身頃８を有する。そして、図中１０１、１０２は前開きシャツ１の左右の脇（両脇）を示している。
【００２９】
そして、この前開きシャツ１の内側合せ目２００、３００の一番下の釦５を基準として、釦５の下から、前身頃２、３の脇１０１、１０２のやや内側１０１ａ、１０２ａ（内側合せ目２００、３００に向った内側）に亘り切欠き部１０、１１を形成する。この切欠き部１０、１１は、内側合せ目２００、３００を緊締した状態で、正面視し、かつ全体視して、略正三角形の形状を呈する（図１、図２と、図５−１参照）。この正三角形を構成する左右対称となった切欠き部１０、１１が大きく開口することで、前身頃２、３を失禁による濡れから防止できる構成とした衣服である。
【００３０】
この一番下の釦５とは、前開きシャツ１では、サイズの大小を問わず、標準的に、釦５は四つであることから、図示の如く、四番目の釦５の僅か下側より切欠き部１０、１１の内側が始まり、前記脇１０１、１０２のやや内側１０１ａ、１０２ａに至る構造である。
【００３１】
以下、図５−１〜図７に示した着用時の各一例を説明すると、例えば、図５−１、図６の如く、この前開きシャツ１の内側合せ目２００、３００を緊締した状態で、当然、切欠き部１０、１１は、体Ｈの前面であり、かつ臍（図示せず）の僅か下側に位置しており、股間には、前開きシャツ１の裾部が至らない状態で着用する。このような着用であれば、失禁した場合でも、濡れる虞がなく、気を使うことなく、安心できること、又は心の安らぎに役立つこと、或いは安心して睡眠できること、等の実益がある。そして、また、肉親、ナース、ヘルパー等の介護者にとっても安心であり、無用なトラブル解消と、心の安らぎに役立つこと、又は時間、煩わしさ等の拘束から開放されること、或いは睡眠時間を確保できること、等の有利性がある。そして、前記特徴を総称すると、本考案は、全ての人に優しく、かつ失禁対策、前立腺疾病者や、泥酔者、認識が劣る人、又はその他の障害者等にとって有益である。また、図７の如く、オムツ２０の場合には、失禁と、尿漏れ等に気を使うことなく、安心できること、等の特徴があり、その他の実益と有利性は、前述の図５−１、図６の一例に準ずる。尚、この横臥状態において、前開きシャツ１の釦５を、釦ホール６から外し、緊締解除する際に、内側合せ目２００、３００の下端が纏わりつく（重なり合う）ことがなく、介護老人、疾病者等の要介護者と介護者の双方にとって、脱ぐ際（脱抜の際）の容易化と、迅速化、或いはトラブル解消に有益である。そして、この状態は、前開きシャツ１の着用時も同様である。勿論、この前開きシャツ１の脱抜、着用は、他の一例も同様である。
【００３２】
このように、本考案は、前開きシャツ１であって、かつ左右対称となった切欠き部１０、１１が大きく開口することで、前記の各一例で説明した、実益、有利性等の確保と、有益の達成ができる。殊に、夏物のクレープ地の如く、薄い生地の前開きシャツ１では、図示しない、寝巻き、布団、又はカッター等の上着を濡らす虞がなく、極めて重宝する。尚、本考案は、図示しないが、前開きの構造であれば、カッター、スポーツシャツ等の上着でも採用可能と考えられ、この前開きシャツ１の範疇に含まれる。
【００３３】
その他として、本考案は、既設の前開きシャツ１への採用もできる特性と、男女の区別なく、採用可能であり、その特徴は各一例に準ずる。尚、図示しないが、幼児のシャツとか、被りでのシャツ、下着でも採用可能であり、その特徴は各一例に準ずる。
【符号の説明】
【００３４】
１          前開きシャツ
１００      襟刳り
１０１      脇
１０１ａ    内側
１０２      脇
１０２ａ    内側
２          前身頃
２００      内側合せ目
３          前身頃
３００      内側合せ目
５          釦
６          釦ホール
７          袖
８          後身頃
１０        切欠き部
１１        切欠き部
２０        オムツ
Ｈ          体
【図１】
0003154978.tif 000003
【図２】
0003154978.tif 000004
【図３】
0003154978.tif 000005
【図４】
0003154978.tif 000006
【図５−１】
0003154978.tif 000007
【図５−２】
0003154978.tif 000008
【図６】
0003154978.tif 000009
【図７】
0003154978.tif 000010